(57)【要約】【課題】警戒領域を図形化した地図上に火災の発生した警戒区域番号と部屋位置を表示することのできる地図式警戒表示機器を提供する。【解決手段】地図式警戒表示機器１は、警戒の対象となる警戒領域を図形化した地図を警戒区域に区画して表示する地図表示部２を備え、この地図表示部２は移し替え可能な光源の投射光によって点灯表示されており、警戒区域の各部屋毎にアドレス感知器を設置し、このアドレス感知器が動作状態になると、アドレス感知器が属する警戒区域の警戒区域番号表示灯４と、アドレス感知器が設置された部屋位置の部屋位置表示灯３とを地図上で点灯させることを特徴とする。【選択図】      図２
2006053650.tif 000002
【特許請求の範囲】
【請求項１】
警戒の対象となる警戒領域を図形化した地図を警戒区域に区画して表示する地図表示部を備え、この地図表示部が移し替え可能な光源の投射光によって点灯表示される地図式警戒表示機器であって、
前記警戒区域の各部屋毎にアドレス感知器を設置し、前記アドレス感知器が動作状態になると、前記アドレス感知器が属する警戒区域番号と、前記アドレス感知器が設置された部屋位置とを前記地図上に表示することを特徴とする地図式警戒表示機器。
【請求項２】
前記警戒区域番号の表示寸法と前記部屋位置の表示寸法とを相違させたことを特徴とする請求項１に記載の地図式警戒表示機器。
【請求項３】
前記アドレス感知器にトラブルが発生したときには、前記アドレス感知器が設置されている部屋位置の表示を点滅させることを特徴とする請求項１または２のいずれか一項に記載の地図式警戒表示機器。
【請求項４】
前記アドレス感知器にトラブルが発生したときには、前記アドレス感知器が設置されている部屋位置の表示色を火災時における表示色と相違させることを特徴とする請求項１、２または３のいずれか一項に記載の地図式警戒表示機器。
【発明の詳細な説明】
【技術分野】
【０００１】
本発明は、例えば火災受信機のような地図式警戒表示機器に係り、特に警戒領域を図形化した地図を警戒区域に区画して表示した地図式警戒表示機器に関する。
【背景技術】
【０００２】
従来、火災の検知機能を有する火災受信機は、火災検知システムが構築された建築物の集中管理室に設置され、全階層に亘る警戒領域内に配置された複数の感知器と信号線で接続されている。そして、火災の発生に伴う感知器の感知動作に即応して、火災受信機は火災の発生を全領域内に報知し、人命の喪失や大災害の発生を未然に防止している。このような火災検知システムに用いられる感知器としては、アドレスを備えたアドレス感知器（例えば火災感知器）が知られている。
【０００３】
従来のアドレス感知器のシステム構成を図５に基づいて説明する。図５に示すように、この種のシステムでは、アドレス感知器５３が中継器５２を経由し、信号線５１を介して火災受信機５０に接続されている。ただし、中継器５２は火災受信機の種別によっては、省略される場合もある。
【０００４】
図６は、上述した火災受信機の地区窓式表示の一例を示したもので、地区窓式火災受信機２０は地区窓式表示部２１、アドレス表示部２２、操作部２３によって構成されている。そして、火災の場合には、地区窓式表示部２１は警戒区域番号に該当する順番に配置された地区窓の表示灯を点灯させ、警戒区域名称を記載した銘板を近傍に表示する。また、アドレス表示部２２には火災発報したアドレス感知器の警戒区域番号、アドレス番号がデジタル表示される。
【０００５】
ここで、アドレス表示部２２の詳細を図７に示す。図７に示すように、アドレス表示部２２は、火災の第１報が表示される第１報デジタル表示部７０、火災の第２報及びそれ以降の表示を行う第２報デジタル表示部７１、警戒区域番号を表示する回線番号デジタル表示７２、アドレス番号デジタル表示７３、第２報デジタル表示部７１の表示内容を更新する表示更新スイッチ７４によって構成されている。
【０００６】
また、別の試みとして図８に示すように、アドレス感知器のアドレス番号を、設置されている部屋番号などに変換して表示する場合もある。このようなアドレス感知器は、火災の第１報が表示される第１報デジタル表示部６０と、火災の第２報及びそれ以降の表示を行う第２報デジタル表示部６１と、警戒区域番号及びアドレス番号を読替えた部屋番号デジタル表示部６２と、第２報デジタル表示部６１の表示内容を更新する表示更新スイッチ６３とから構成されている。
【０００７】
図９は、地図式表示を行う火災受信機の一例を示し、地図式火災受信機３０は、地図式表示部３１と、アドレス表示部３２と、操作部３３とから構成されている。火災が発生すると、地図式表示部３１には警戒区域番号が地図上に表示される。また、アドレス表示部３２には火災発報したアドレス感知器の回線番号とアドレス番号がデジタル表示される。アドレス表示部３２の表示内容は前記地区窓式と同一である。
【０００８】
図１０は、液晶表示を行う火災受信機の一例を示し、液晶式火災受信機４０は液晶表示部４２と、アドレス表示部４１と、操作部４３とから構成されている。火災が発生すると、アドレス表示部４１には火災発報したアドレス感知器の警戒区域番号、アドレス番号がデジタル表示される。また、液晶表示部４２には該当するメッセージが文字で表示される。
【０００９】
また、別の試みとして、液晶表示部４２に地図が表示され、火災発報警戒区域番号、アドレス感知器の位置を液晶の地図上に表示する機種もあるが、費用が高額になる。
【００１０】
このような液晶パネルに地図表示を行うアドレス設定器の従来例としては、例えば特開平９−２６１７７９号公報（特許文献１）が開示されている。
【００１１】
さらに、また別の試みとして別盤ＣＲＴを設置し、図１０の液晶表示部４２の地図表示と同様の地図表示を行う機種もあるが、費用は更に高額となる。
【００１２】
このようなＣＲＴを備えた防災設備の表示装置の従来例としては、例えば特開昭５３−６６１９８号公報（特許文献２）が開示されている。
【特許文献１】特開平９−２６１７７９号公報
【特許文献２】特開昭５３−６６１９８号公報
【発明の開示】
【発明が解決しようとする課題】
【００１３】
上述した従来の火災受信機では、火災が発生した場合に警戒区域番号で火災発生の区画を確認して防火管理者が現場確認を行うが、火災で発報したアドレス感知器の位置を探さなければ、実火災なのか、あるいはアドレス感知器の非火災報なのかを判断することは難しいという課題があった。
【００１４】
また、アドレス感知器の警戒区域番号と、アドレス番号を読み替えた部屋番号とを表示する図８の方式の場合には、部屋番号により、ある程度の位置は特定できるものの、部屋番号などのない建物構造の場合にはアドレス番号と警戒区域の位置を図面などで判断する必要があり、緊急時の対応が難しいという課題があった。
【００１５】
本発明の目的は、アドレス感知器が設置された部屋位置を容易に特定することができる地図式警戒表示機器を提供することにある。
【課題を解決するための手段】
【００１６】
上述した課題を解決するために、請求項１に記載の発明は、警戒の対象となる警戒領域を図形化した地図を警戒区域に区画して表示する地図表示部を備え、この地図表示部は移し替え可能な光源の投射光によって点灯表示される地図式警戒表示機器であって、前記警戒区域の各部屋毎にアドレス感知器を設置し、前記アドレス感知器が動作状態になると、前記アドレス感知器が属する警戒区域番号と、前記アドレス感知器が設置された部屋位置とを前記地図上に表示することを特徴とする。
【００１７】
また、請求項２に記載の発明は、請求項１に記載の地図式警戒表示機器において、前記警戒区域番号の表示寸法と前記部屋位置の表示寸法とを相違させたことを特徴とする。
【００１８】
また、請求項３に記載の発明は、請求項１または２のいずれかに記載の地図式警戒表示式機器において、前記アドレス感知器にトラブルが発生したときには、前記アドレス感知器が設置されている部屋位置の表示を点滅させることを特徴とする。
【００１９】
また、請求項４に記載の発明は、請求項１、２または３のいずれかに記載の地図式警戒表示機器において、前記アドレス感知器にトラブルが発生したときには、前記アドレス感知器が設置されている部屋位置の表示色を火災時における表示色と相違させることを特徴とする。
【発明の効果】
【００２０】
請求項１の発明によれば、警戒区域番号とアドレス感知器が設置された部屋位置とを同時に地図上に表示するので、火災などの異常が発生した警戒区域と、アドレス感知器が設置された部屋位置とを地図上で容易に特定することができ、これによって火災の早期発見、初期消火、避難誘導に効果を上げることができる。
【００２１】
さらに、この結果によって、構造が簡単で製作費が安く、しかも見易い表示を行うとともに、地図表示部が移し替え可能な光源を利用しているので、警戒区域内のレイアウト変更にも容易に対応することができる。
【００２２】
また、請求項２の発明によれば、請求項１に記載の発明による効果に加えて、警戒区域番号の表示寸法と部屋位置の表示寸法とを相違させたので、火災などの異常発生時に警戒区域番号の表示と部屋位置の表示とが見分け易くなり、容易に識別することができる。
【００２３】
また、請求項３の発明によれば、請求項１または２に記載の発明による効果に加えて、アドレス感知器にトラブルが発生したときには、アドレス感知器が設置されている部屋位置の表示を点滅させるので、トラブルが発生したことを即座に認識することができ、その部屋位置も地図上で容易に判断することができるので、トラブル発生時における迅速な対応を期待することができる。
【００２４】
また、請求項４の発明によれば、請求項１、２または３に記載の発明による効果に加えて、アドレス感知器にトラブルが発生したときには、アドレス感知器が設置されている部屋位置の表示色を火災時における表示色と相違させるので、トラブルが発生したことを即座に認識することができ、その部屋位置も地図上で容易に判断することができるので、トラブル発生時における迅速な対応を期待することができる。
【発明を実施するための最良の形態】
【００２５】
以下、本発明を実施するための最良の形態となる実施例を図面に基づいて説明する。ただし、以下の実施例に示す図面は模式的なものであり、各部材の寸法の比率等は現実のものとは異なる。
【実施例１】
【００２６】
図１は、実施例１に係る地図式警戒表示機器を用いた防災システムのシステム構成を示すブロック図である。図１に示すように、本実施例の防災システム１０は、火災などのトラブルの発生を受信すると、地図上に発生位置を表示して知らせる地図式警戒表示機器１と、警戒の対象となる各部屋に設置されたアドレス感知器１１と、アドレス感知器１１からの信号を地図式警戒表示機器１へ中継する中継器１２と、アドレスの与えられていない一般感知器１３とから構成されている。
【００２７】
ここで、図１に示すシステム構成において、部屋番号１０１号室にはアドレス番号ＡＤ１のアドレス感知器１１−１、アドレス番号ＡＤ２のアドレス感知器１１−２、アドレス番号ＡＤ３のアドレス感知器１１−３が設置され、部屋番号１０２号室にはアドレス番号ＡＤ４のアドレス感知器１１−４、アドレス番号ＡＤ５のアドレス感知器１１−５が接続されている。これらのアドレス感知器１１−１〜１１−５は、中継器１２−１と信号線１４−１を介して地図式警戒表示機器１に接続されている。
【００２８】
また、部屋番号１０３号室にはアドレス番号ＡＤ６のアドレス感知器１１−６、アドレス番号ＡＤ７のアドレス感知器１１−７が接続され、中継器１２−２と信号線１４−１を介して地図式警戒表示機器１に接続されている。
【００２９】
さらに、１０１号室、１０２号室、１０３号室前の廊下の部分にはアドレスの無い一般感知器１３−１が設置され、信号線１４−１を介して地図式警戒表示機器１に接続されている。
【００３０】
上述したアドレス感知器１１−１〜１１−７、中継器１２−１、１２−２及び一般感知器１３−１は警戒区域番号Ａ１に属している。
【００３１】
さらに、部屋番号１０４号室にはアドレス番号ＡＤ１のアドレス感知器１１−８が設置され、部屋番号１０５号室にはアドレス番号ＡＤ２のアドレス感知器１１−９、部屋番号１０６号室にはアドレス番号ＡＤ３のアドレス感知器１１−１０が設置されている。そして、アドレス感知器１１−８〜１１−１０は中継器１２−３と信号線１４−２を介して地図式警戒表示機器１に接続されている。
【００３２】
また、１０４号室、１０５号室、１０６号室前の廊下及びトイレの部分にはアドレスの無い一般感知器１３−２、１３−３が設置され、信号線１４−２を介して地図式警戒表示機器１に接続されている。
【００３３】
上述したアドレス感知器１１−８〜１１−１０、中継器１２−３及び一般感知器１３−２、１３−３は警戒区域番号Ａ２に属している。
【００３４】
次に、本実施例の地図式警戒表示機器１の構成を図２に基づいて説明する。図２は本実施例に係る地図式警戒表示機器１の機器正面を示す図である。図２に示すように、本実施例の地図式警戒表示機器１は、警戒の対象となる警戒領域を図形化した地図を警戒区域に区画して表示する地図表示部２と、部屋の位置を表示する部屋位置表示灯３と、警戒区域番号を表示する警戒区域番号表示灯４と、各種操作を行う操作部５とを備えている。
【００３５】
なお、本実施例における地図式警戒表示機器１は、ＲＯＭ、ＲＡＭ、ＣＰＵなどを備えたコンピュータシステムにより構成することができる。
【００３６】
ここで、地図表示部２は、表示窓の前面に設けられた窓板と、窓板の背面に設置され間取図を表示した表示シートと、表示シートの背後に配置されスポット状の投射光を投射する強指向性の光源と、光源を移し替え可能に差し込むことのできる差込部材とを備えている。この差込部材はポリウレタンのような発泡性の樹脂で作られていて光源の抜き差しが容易にできるものなので、警戒の対象となる建造物のレイアウトが変更されたときには、新しいレイアウトの印刷された表示シートに張り替え、この表示シートに合わせて光源を移し替えることによって、新しいレイアウトに即座に対応することができる。
【００３７】
このように光源を移し替え可能にすることは、例えば特開平１１−３１２８３号公報に開示された技術により実現することができる。
【００３８】
次に、上述した地図表示部２の詳細を図３に基づいて説明する。図３は本実施例に係る地図式警戒表示機器１の地図表示部２の詳細を説明するための図であり、図１で説明したシステム構成を地図表示部２に表示したものである。
【００３９】
図３に示すように、地図表示部２には、警戒対象となる建物の間取りを示す間取図８０が表示され、この間取図８０上には各警戒区域Ａ１、Ａ２の警戒区域番号を表示する警戒区域番号表示灯４−１、４−２と、各部屋に設置されたアドレス感知器１１が火災などの異常を検知して作動状態になると点灯する部屋位置表示灯３−１〜３−６とが備えられている。
【００４０】
各警戒区域Ａ１、Ａ２は、それぞれ別の警戒区域色で表示され、境界には警戒区域を分ける警戒区域線８５によって区分けされて地図上に表示されている。
【００４１】
また、各部屋位置表示灯３−１〜３−６には、各部屋に設置されているアドレス感知器１１がそれぞれ割付けられて、地図式警戒表示機器１に記憶されている。
【００４２】
ここで、図１で説明したように、警戒区域番号Ａ１の区域内にはアドレス感知器１１が７個配置されており、このうちアドレス番号ＡＤ１、ＡＤ２，ＡＤ３のアドレス感知器１１−１、１１−２、１１−３が割付けられた部屋１０１号室の位置を表示するものとして部屋位置表示灯３−１が設置されている。
【００４３】
各部屋位置表示灯３には、各アドレス感知器が属する警戒区域番号とアドレス番号が表示される。例えば、部屋位置表示灯３−１では、図３に示すように、アドレス感知器１１−１が属する警戒区域番号Ａ１とアドレス番号ＡＤ１とに基づいて「Ａ１−１、Ａ１−２、Ａ１−３」と表示される。同様にして、アドレス感知器１１−２については「Ａ１−１、Ａ１−２、Ａ１−３」、アドレス感知器１１−３については「Ａ１−１、Ａ１−２、Ａ１−３」と表示される。
【００４４】
また、警戒区域Ａ１にはアドレス番号ＡＤ４、ＡＤ５のアドレス感知器１１−４、１１−５が１０２号室に設置されているので、部屋位置表示灯３−２には「Ａ１−４、Ａ１−５」が表示され、同様にして部屋位置表示灯３−３には「Ａ１−６、Ａ１−７」が表示される。
【００４５】
さらに、地図表示部２には警戒区域番号Ａ２の警戒区域番号表示灯４−２と、部屋位置表示灯３−４〜３−６とが設置されており、警戒区域Ａ１と同様に表示される。
【００４６】
このように部屋位置表示灯３に警戒区域番号とアドレス感知器１１のアドレス番号とを表示することによって、表示を見た防火管理者には部屋位置だけでなく、アドレス感知器１１の識別をすることもできる。
【００４７】
また、図１のシステム構成で説明したように、本実施例の防災システム１０にはアドレス感知器１１の他に一般感知器１３が設置されている。
【００４８】
ただし、一般感知器１３の位置はその機能上位置を特定できないため、地図表示部２には表示されていない。そこで、一般感知器１３が作動したときには警戒区域番号表示灯４を点灯させて防火管理者に異常発生を知らせるようにする。
【００４９】
例えば、警戒区域Ａ１では廊下に設置された一般感知器１３−１があり、廊下における異常を一般感知器１３−１が感知して作動状態になると、警戒区域番号表示灯４−１が点灯して異常の発生を知らせる。
【００５０】
同様に、警戒区域Ａ２においても、廊下やトイレに設置された一般感知器１３−２、１３−３が異常を感知して作動状態になると、警戒区域番号表示灯４−２が点灯して異常の発生を知らせる。
【００５１】
このように構成された防災システム１０において、例えば１０１号室のアドレス番号ＡＤ１のアドレス感知器１１−１が火災を検知して作動状態になると、アドレス感知器１１−１から中継器１２−１を経由して信号線１４−１を介して地図式警戒表示機器１に火災信号が伝達される。そして、地図式警戒表示機器１は地図表示部２に火災発報した警戒区域番号表示灯４−１と、アドレス感知器１１−１が割付けられている部屋位置表示灯３−１を点灯させる。この点灯によって防火管理者は警戒区域番号Ａ１の区域で火災が発生したことを確認し、次に１０１号室で火災が発生したことも地図上で容易に視認することができる。
【００５２】
以上説明したように、本実施例に係る地図式警戒表示機器１では、警戒区域番号とアドレス感知器が割付けられた部屋位置とを地図上に同時に表示するようにしたので、火災などの異常が発生した警戒区域と、アドレス感知器が設置された部屋位置とを地図上で容易に特定することができ、これによって火災の早期発見、初期消火、避難誘導に効果を上げることができる。
【００５３】
さらに、この結果、構造が簡単で製作費が安く、しかも見易い表示を行うとともに、地図表示部２が移し替え可能な光源を利用しているので、警戒区域内のレイアウト変更にも容易に対応することのできる地図式警戒表示機器１を提供することができる。
【実施例２】
【００５４】
図４は、実施例２に係る地図式警戒表示機器１の地図表示部２の詳細を説明するための図である。図４に示すように、本実施例では、実施例１と比較して部屋位置表示灯３の表示径を小型にして警戒区域番号表示灯４の表示寸法と相違するようにしたことが異なる。その他の構成については、実施例１と同一なので説明を省略する。
【００５５】
このように、本実施例に係る地図式警戒表示機器１では、警戒区域番号表示灯４と部屋位置表示灯３の表示寸法を相違させたので、火災などの異常発生時に警戒区域番号の表示と部屋位置の表示とが見分け易くなり、容易に識別することができる。
【実施例３】
【００５６】
この実施例３では、アドレス感知器１１にトラブルが発生したときに、トラブルの発生したアドレス感知器１１が割付けられた部屋位置表示灯３を点滅表示させるように構成したことが実施例１と異なる。その他の構成については、実施例１と同一なので説明を省略する。以下、図３を参照しながら説明する。
【００５７】
本実施例においては、１０１号室のアドレス感知器１１−１にトラブルが発生した場合には、アドレス感知器１１−１から中継器１２−１を経由し、信号線１４−１を介して地図式警戒表示機器１にトラブル信号が伝達され、このトラブル信号を受信した地図式警戒表示機器１は、トラブルが発生したアドレス感知器１１−１が割付けられている部屋位置表示灯３−１を点滅表示する。この点滅表示によって、防火管理者は１０１号室のアドレス感知器１１−１にトラブルが発生したことを即座に認識することができ、その部屋位置も地図上で容易に判断することができる。
【００５８】
なお、火災時における部屋位置の表示を点滅にする場合には、トラブル時における点滅表示の周期を、火災時における点滅周期と変えることによって、それぞれの表示の識別ができるようにすればよい。
【００５９】
このように、本実施例に係る地図式警戒表示機器１では、アドレス感知器１１にトラブルが発生したときには部屋位置表示灯３を点滅表示するようにしたので、トラブルが発生したことを即座に認識することができ、その部屋位置も地図上で容易に判断することができるので、トラブル発生時における迅速な対応を期待することができる。
【実施例４】
【００６０】
この実施例４では、アドレス感知器１１にトラブルが発生したときに、トラブルの発生したアドレス感知器１１が割付けられた部屋位置表示灯３を火災時とは異なる色で点灯するように構成したことが実施例１と異なる。その他の構成については実施例１と同一なので説明を省略する。以下、図３を参照しながら説明する。
【００６１】
本実施例において、１０１号室のアドレス感知器１１−１にトラブルが発生した場合には、アドレス感知器１１−１から中継器１２−１を経由し、信号線１４−１を介して地図式警戒表示機器１にトラブル信号が伝達される。このトラブル信号を受信した地図式警戒表示機器１は、トラブルが発生したアドレス感知器１１−１が割付けられている部屋位置表示灯３−１を火災時とは異なる色、例えば橙色で点灯する。このように異なる色で表示したことによって、防火管理者は１０１号室のアドレス感知器１１−１にトラブルが発生したことを即座に認識することができ、その部屋位置も地図上で容易に判断することができる。
【００６２】
このような異なる色によるトラブル表示は、地図表示部２の光源を２色ＬＥＤにすることによって実現することができ、トラブル発生時には橙色で表示するようにし、火災時には赤色で表示するようにする。なお、トラブル時における表示色や火災時における表示色は、橙色や赤色でなくてもその他の色であってもよい。
【００６３】
本実施例に係る地図式警戒表示機器１では、アドレス感知器１１にトラブルが発生したときには部屋位置表示灯３を火災時と異なる色で点灯するようにしたので、トラブルが発生したことを即座に認識することができ、また、その部屋位置も地図上で容易に判断することができるので、トラブル発生時における迅速な対応を期待することができる。
【００６４】
以上、本発明の地図式警戒表示機器について、図示した実施例に基づいて説明したが、本発明はこれに限定されるものではなく、各部の構成を同等の機能を有する任意の構成のものに置き換えたり、或いは各実施例を適宜に組み合わることができる。
【産業上の利用可能性】
【００６５】
本発明は、例えば火災受信機のような地図式警戒表示機器に係り、特に警戒領域を図形化した地図上に火災の発生した警戒区域番号と部屋位置とを表示して、火災などの発生した位置を即座に特定するための技術として極めて有用である。
【図面の簡単な説明】
【００６６】
【図１】実施例１に係る地図式警戒表示機器を用いた防災システムのシステム構成を示すブロック図である。
【図２】実施例１に係る地図式警戒表示機器の構成を示す機器正面図である。
【図３】実施例１に係る地図式警戒表示機器の地図表示部の詳細を示す図である。
【図４】実施例２に係る地図式警戒表示機器の地図表示部の詳細を示す図である。
【図５】従来の防災システムのシステム構成を示すブロック図である。
【図６】従来の火災受信機の構成を示す機器正面図である。
【図７】従来の火災受信機におけるアドレス表示部の詳細を示す図である。
【図８】従来の火災受信機におけるアドレス表示部の詳細を示す図である。
【図９】従来の火災受信機の構成を示す機器正面図である。
【図１０】従来の火災受信機の構成を示す機器正面図である。
【符号の説明】
【００６７】
１…地図式警戒表示機器
２…地図表示部
３…部屋位置表示灯
４…警戒区域番号表示灯
５…操作部
１０…防災システム
１１、５３…アドレス感知器
１２、５２…中継器
１３…一般感知器
１４、５１…信号線
２０…地区窓式火災受信機
２１…地区窓式表示部
２２、３２、４１…アドレス表示部
２３、３３、４３…操作部
３０…地図式火災受信機
３１…地図式表示部
４０…液晶式火災受信機
４２…液晶表示部
５０…火災受信機
６０、７０…第１報デジタル表示部
６１、７１…第２報デジタル表示部
６２…部屋番号デジタル表示部
６３、７４…表示更新スイッチ
７２…回線番号デジタル表示
７３…アドレス番号デジタル表示
８０…間取図
８５…警戒区域線
【図１】
2006053650.tif 000003
【図２】
2006053650.tif 000004
【図３】
2006053650.tif 000005
【図４】
2006053650.tif 000006
【図５】
2006053650.tif 000007
【図６】
2006053650.tif 000008
【図７】
2006053650.tif 000009
【図８】
2006053650.tif 000010
【図９】
2006053650.tif 000011
【図１０】
2006053650.tif 000012